(57)【要約】      （修正有）【課題】  従来のものに比べて、より簡易にしかも効率よく、且つメンテナンスの面でも優位に起倒を可能とする支柱、及びその起倒方法を提供せんとする。【解決手段】  支柱１を上下に２分割して固定下部支柱３と可動上部支柱４とし、固定下部支柱３に可動上部支柱４が起倒可能に軸支７して立設された支柱１に於いて、固定下部支柱３と可動上部支柱４の間に伸縮装置１０を必要により着脱可能に取り付けるため、固定下部支柱３及び可動上部支柱４に夫々伸縮装置１０の装着部８，９を設ける。一方、伸縮装置１０の本体基部と伸縮部材１０の先部に前記装着部８，９に対応する取り付け部を設ける。必要時に固定下部支柱３と可動上部支柱４の間に取り付けた伸縮部材１０の伸縮によって可動上部支柱４を目的方向へ起倒させることを特徴とする。【選択図】  図３
2006226109.tif 000002
【特許請求の範囲】
【請求項１】
支柱を上下に２分割して固定下部支柱と可動上部支柱とし、固定下部支柱に可動上部支柱が起倒可能に軸支して立設された支柱に於いて、固定下部支柱と可動上部支柱の間に伸縮装置を必要により着脱可能に取り付けるため、固定下部支柱及び可動上部支柱に夫々伸縮装置の装着部を設け、一方、伸縮装置の本体基部と伸縮部材の先部に前記装着部に対応する取り付け部を設け、必要時に固定下部支柱と可動上部支柱の間に取り付けた伸縮部材の伸縮によって可動上部支柱を目的方向へ起倒させることを特徴とする支柱。
【請求項２】
支柱を上下に２分割して固定下部支柱と可動上部支柱とし、固定下部支柱に可動上部支柱が起倒可能に軸支して立設された支柱に於いて、可動上部支柱の起倒時に、固定下部支柱と可動上部支柱の間に伸縮装置を、伸縮装置の本体基部を固定下部支柱の装着部に軸着し、伸縮装置の伸縮部材の先部を、可動上部支柱の装着部に軸着した後、伸縮装置を作動して伸縮部材を伸縮させて、可動上部支柱を目的方向へ起倒させることを特徴とする支柱の起倒方法。
【発明の詳細な説明】
【技術分野】
【０００１】
本発明は支柱に関するものであり、例えば防風・防雪・防波柵等の支柱であって、特定の使用時期以外は遮蔽を解き、支柱も転倒して景観に配慮するために利用される支柱に関するものである。
【背景技術】
【０００２】
防風・防雪・防波等の柵においては、季節的に一定期間のみ柵の設置が必要な場所がある。
この様な場合に、必要の都度柵の設置・除去を行えば最も良いのであるが、手間と経費との関係でそのまま設置して置かざるを得ない状況であった。
しかし、近年は環境や景観の問題が重要視され、この種の柵についても技術的な改良が提案されているのである。
【０００３】
特開２００３−２７８１３８では、柱脚前部と柱脚後部とで支柱下部収容スペースを形成した柱脚の前記支柱下部収容スペースに支柱の下部を収容し、支持軸で支柱を柱脚に回転可に取り付け、柱脚前後部のそれぞれ上部の内側面の一部に水平角方向垂直面を形成し、支柱を直立状態から適宜の傾斜角までは柵幅方向に倒れ、その後は柵幅方向に対して水平角を持つ方向に倒れるものが開示されている。
また、特開平１１−３３６３７６は、所定の間隔を隔てて複数の支柱を起倒可能に配置し、各支柱間に遮断ロープを接続し、最外側の支柱に配置したウインチと錘を利用して全支柱を起倒させる構成が開示されている。
【特許文献１】特開２００３−２７８１３８
【特許文献２】特開平１１−３３６３７６
【発明の開示】
【発明が解決しようとする課題】
【０００４】
本発明は、従来のものに比べて、より簡易にしかも効率よく、且つメンテナンスの面でも優位に起倒を可能とする支柱、及びその起倒方法を提供せんとするものである。
【課題を解決するための手段】
【０００５】
本発明に係る支柱は、支柱を上下に２分割して固定下部支柱と可動上部支柱とし、固定下部支柱に可動上部支柱が起倒可能に軸支して立設された支柱に於いて、固定下部支柱と可動上部支柱の間に伸縮装置を必要により着脱可能に取り付けるため、固定下部支柱及び可動上部支柱に夫々伸縮装置の装着部を設け、一方、伸縮装置の本体基部と伸縮部材の先部に前記装着部に対応する取り付け部を設け、必要時に固定下部支柱と可動上部支柱の間に取り付けた伸縮部材の伸縮によって可動上部支柱を目的方向へ起倒させることを特徴とするものである。
【０００６】
また、本発明の支柱起倒方法は、支柱を上下に２分割して固定下部支柱と可動上部支柱とし、固定下部支柱に可動上部支柱が起倒可能に軸支して立設された支柱に於いて、可動上部支柱の起倒時に、固定下部支柱と可動上部支柱の間に伸縮装置を、伸縮装置の本体基部を固定下部支柱の装着部に軸着し、伸縮装置の伸縮部材の先部を、可動上部支柱の装着部に軸着した後、伸縮装置を作動して伸縮部材を伸縮させて、可動上部支柱を目的方向へ起倒させることを特徴とするものである。
【発明の効果】
【０００７】
本発明は、支柱を上下に２分割して固定下部支柱と可動上部支柱とし、固定下部支柱に可動上部支柱が起倒可能に軸支して立設された支柱を起倒するに際し、固定下部支柱と可動上部支柱間に装置した伸縮装置を作動させるだけで起倒を可能とするものであり、極めて簡単な構成で成し得るのである。
【０００８】
また、伸縮装置は不使用時には支柱より取り外しておくことができ、天候等の外的環境による機能の変化や耐用期間の影響を受けることから回避できる効果を有する。
【０００９】
そして、伸縮装置は起倒が必要な時にだけ固定下部支柱と可動上部支柱間に装置すればよく、一個の伸縮装置を使用すれば各支柱に装置して置く必要が無いためコストの大幅な削減効果がある。
【００１０】
さらに、伸縮装置にセルフロック機能を持たせれば、重機を必要とせずに作業が可能となり、作業時にも車線規制による交通の流れを妨げることがなくなり、重機の維持管理費等も不要となる効果を有するのである。
【発明を実施するための最良の形態】
【００１１】
本発明の実施の形態を図面に基づいて説明する。
図1は本発明の一実施の形態例を示す正面図であり、支柱１は、基礎２に立設した固定下部支柱３と、この固定下部支柱３へ起倒可能に軸支された可動上部支柱４とに上下に分割され、可動上部支柱４の間、及び、固定下部支柱３の間には複数のパネル等５が渡設されている。
【００１２】
可動上部支柱４間に渡設したパネルは取り付け取り外し自在とし、季節によって、防風等のための遮蔽体となるパネル等５を景観等の理由から取り除くものであり、着脱のための細部の構成は省略してある。
【００１３】
景観等の理由から、不必要時にはパネル等５を取り外すタイプのものとしては、パネルを降下させて地上近くに収容したり、ネットを張設したものは下部や柱等に巻き取ったりして、季節により遮蔽体であるパネル等５を取り除く例が多数公知となっており、図面に示す以外のタイプの柵にも本発明を利用できることは言うまでもない。
【００１４】
また、このタイプの柵は、支柱１においても景観等の理由から、支柱１を固定下部支柱３と、固定下部支柱３へ起倒可能に軸支された可動上部支柱４とに上下に分割して起立して設置し、パネル等５が除かれたときには設置横方向と略並行の方向へ、可動上部支柱４を転倒して置くものが多い。
【００１５】
そして、可動上部支柱４の起立時には固定ピンやストッパー等の固定部材によって可動上部支柱４の起立を維持し、転倒時にはバランスウエイト等の支持部材により可動上部支柱４の水平状態を維持するようにしたものが多く存在し、既に公知となっている構成を適宜採用すれば実施可能であり、本実施の形態を示す図面においては起倒時の維持に関する具体的構成は図示せず省略してある。
【００１６】
固定下部支柱３の前後面に軸受プレート６、６を上方へ延設し、この軸受プレート６、６間に緩挿した可動上部支柱４の下端部分を連結支持する回転軸７を貫通して、固定下部支柱３に可動上部支柱４を起倒可能に軸支している。
【００１７】
また、固定下部支柱３と可動上部支柱４の前後面の一方側に起倒用の伸縮装置１０を取り付ける装着用軸８、９を設けてあり、起倒が必要な時にこの装着用軸８、９に伸縮装置１０の基部と先端部の取り付け孔１１，１２を回動可能に装着し、伸縮装置１０を当該上下の支柱間に取り付けるものである。
【００１８】
可動上部支柱４に設けた装着用軸９は、前記回転軸７に対して固定下部支柱３の装着用軸８と軸支部である回転軸７を結んだ延長線の起倒方向側に位置決めしてあるため、装着した伸縮装置１０の伸縮に伴って可動上部支柱４が転倒方向へ起倒することとなる。
【００１９】
装着用軸８、９は転倒方向へ同様の作用効果を得られる起倒可能な位置に配置すれば良く、例えば、回転軸７より下方位置に可動上部支柱４の装着用軸９を設ける場合は、固定下部支柱３の装着用軸８と軸支部である回転軸７を結んだ線の非起倒方向側に位置決めすることとなる。
伸縮装置１０のトルクやストロークを勘案した設計事項である。
【００２０】
伸縮装置１０は本体筒部１３、駆動部１４及びラック軸１５より成り、更に、ラック軸１５はラック形成部１６と取り付け孔１２を有する先部ブラケット１８で構成する。
【００２１】
本体筒部１３の先端部に駆動部１４が定着１９し、ラック軸１５のラック形成部１６が本体筒部１４に出入り可能に挿入されていると共に、ラック形成部１６のラック１７は駆動部１４を貫通し、駆動部１４に内装したピニオンと噛み合っている。
よって、ピニオンに回転力を与える入力軸２０を駆動することにより、ラック軸１５が伸縮装置１０の長手方向に動き、伸縮装置１０の長さに長短を生じさせ、その結果可動上部支柱４が起倒するものである。
【００２２】
装着用軸８、９はそれぞれ固定下部支柱３、可動上部支柱４にボルト２１をナット２２で固定して形成し、本体筒部１３の基部に設けた取り付け孔１１、及び先部ブラケット１８の取り付け孔１２が余裕をもって挿通されダブルナット２３で連結する。
【００２３】
また、この伸縮装置１０の基部と先端部の取り付け孔１１，１２の形成板は、駆動部１４の入力軸２０に対して角度をもたせてあるため、装着した場合に入力軸２０が正面側に向くようになり、駆動作業が可動上部支柱４の起倒の真下から外れ、作業を安全に行えるものとなる。
【００２４】
入力軸２０の駆動は手動ハンドルまたは電動工具を任意に利用することができ、ラック機構に出力軸側にトルクが加わっても動かないセルフロック機能（例えば、エルゴジャパン株式会社製のラック式ジャッキの利用が可能である。）を持たせれば安全に可動上部支柱４の起倒作業を行えるものである。
【００２５】
伸縮装置１０は実施態様のものに限定されるものではなく、伸縮機能を有するものであれば同一の作用効果を得られ、ウオームギヤやネジを利用して伸縮させる機構を有するものや、油圧シリンダーやエアーシリンダーを着脱して装置するものとしてもよい。
【図面の簡単な説明】
【００２６】
【図１】本発明の実施の一態様を示す柵の正面図である。
【図２】本発明の実施の一態様を示す支柱の側面図である
【図３】本発明の起倒時の状態を示す正面図である。
【図４】本発明の伸縮装置の一例を示す正面図である。
【図５】伸縮装置の装着時の一例を示す側面図である。
【符号の説明】
【００２７】
１        支柱
３        固定下部支柱
４        可動上部支柱
５        パネル等
６        軸受プレート
７        回転軸
８、９    装着用軸（装着部）
１０        伸縮装置
１１、１２  取り付け孔（取り付け部）
１３        本体筒部
１４        駆動部
１５        ラック軸
１６        ラック形成部
１７        ラック
１８        先部ブラケット
１９        定着
２０        入力軸
２１        ボルト
２２        ナット
２３        ダブルナット
【図１】
2006226109.tif 000003
【図２】
2006226109.tif 000004
【図３】
2006226109.tif 000005
【図４】
2006226109.tif 000006
【図５】
2006226109.tif 000007